(57)【要約】【課題】  設備がどのような異常状態になっても、異常時対応を適切に行えるようにすることを目的とする。【解決手段】  本発明に係る監視システム１は、撮影部３および第１表示部５を有する端末２と、端末２と接続された第２表示部１５を有する装置１０と、を含み、端末２は、撮影部３により撮影された設備１００を含む映像３ａを第２表示部１５で表示するために映像３ａを装置１０に送信し、かつ、第２表示部１５での映像３ａに対して入力された映像３ａに関する対応情報６ａを受信する通信部４と、対応情報６ａを第１表示部５に表示する第１重畳表示部６と、を備え、装置１０は、映像３ａに対して対応情報６ａを第２表示部１５に重畳表示する第２重畳表示部１６を備えたことを特徴とする。【選択図】図１
2018169649.tif 000002
【特許請求の範囲】
【請求項１】
撮影部および第１表示部を有する端末と、前記端末と接続された第２表示部を有する装置と、を含む監視システムであって、
前記端末は、
前記撮影部により撮影された設備を含む映像を前記第２表示部で表示するために前記映像を前記装置に送信し、かつ、前記第２表示部での前記映像に対して入力された前記映像に関する対応情報を受信する通信部と、
前記前記対応情報を前記第１表示部に表示する第１重畳表示部と、を備え、
前記装置は、
前記映像に対して前記対応情報を前記第２表示部に重畳表示する第２重畳表示部を備えた
ことを特徴とする監視システム。
【請求項２】
前記設備、前記端末および前記装置の少なくともいずれかに前記設備の規定対応情報が格納されており、前記第２重畳表示部は、前記規定対応情報を前記前記第２表示部に重畳表示する
ことを特徴とする請求項１に記載の監視システム。
【請求項３】
前記第１重畳表示部および前記第２重畳表示部の少なくとも一方は、前記設備の被測定対象を測定部により測定した測定結果を対応する前記第１表示部および前記第２表示部の少なくとも一方に表示する
ことを特徴とする請求項２に記載の監視システム。
【請求項４】
前記第１重畳表示部および前記第２重畳表示部の少なくとも一方は、前記測定結果に基づき、前記映像における前記設備の内部を透視する透視情報を対応する前記第１表示部および前記第２表示部の少なくとも一方に重畳表示する
ことを特徴とする請求項３に記載の監視システム。
【請求項５】
前記第１重畳表示部および前記第２重畳表示部の少なくとも一方は、ユーザからの前記透視情報に対する入力を受けて前記被測定対象の状態を調整するための前記対応情報または前記規定対応情報の少なくとも一方を表示する
ことを特徴とする請求項４に記載の監視システム。
【請求項６】
前記測定結果は複数種類の測定結果を含み、
前記第１重畳表示部および前記第２重畳表示部の少なくとも一方は、前記複数種類の前記測定結果に対応する前記透視情報を選択可能に表示する
ことを特徴とする請求項５に記載の監視システム。
【請求項７】
前記端末に備えられ、前記設備に関する情報を入力可能な入力部を備え、
前記入力部による入力の結果は、前記第１表示部および前記第２表示部で表示される
ことを特徴とする請求項１から６のいずれか一項に記載の監視システム。
【請求項８】
前記端末は前記第１表示部上に、前記装置が前記設備に対して管理操作を行う管理制御機能を呼び出す機能呼び出し部を備えた
ことを特徴とする請求項１から７のいずれか一項に記載の監視システム。
【請求項９】
撮影部により撮影された設備を含む映像を装置に送信し、前記装置上で付加された前記設備に関する対応情報を表示する端末であって、
前記端末は、
前記撮影部により撮影された前記映像を前記装置に送信し、前記装置から、前記映像に対して入力された前記映像に関する対応情報を受信する通信部と、
前記通信部で受信した前記対応情報を、前記映像を表示する表示部に重畳表示する重畳表示部と、を備えた
ことを特徴とする監視用の端末。
【請求項１０】
前記重畳表示部は、前記設備の状況を測定した測定結果に基づき、前記映像における前記設備の内部の状況を透視する透視情報を前記表示部に重畳表示する
ことを特徴とする請求項９に記載の監視用の端末。
【請求項１１】
前記重畳表示部は、ユーザからの前記透視情報に対する入力を受けて、前記設備における被測定対象の状態を調整するための前記対応情報を表示する
ことを特徴とする請求項１０に記載の監視用の端末。
【請求項１２】
前記設備は複数種類の測定部により測定され、
前記重畳表示部は、前記複数種類の前記測定部による前記測定結果に対応する前記透視情報を選択可能に表示する
ことを特徴とする請求項１１に記載の監視用の端末。
【請求項１３】
設備の監視をする監視用の端末であって、
撮影部と、
前記撮影部により撮影された映像を表示する表示部と、
前記設備の内部の被測定対象を測定した結果を前記表示部に重畳表示する１重畳表示部と、
を備えた
ことを特徴とする監視用の端末。
【請求項１４】
前記重畳表示部は、ユーザからの入力を受けて前記被測定対象の状態を調整するための対応情報および前記設備、前記監視用の端末のいずれかに格納された前記設備の規定の対応手順が記された規定対応情報の少なくとも一方を表示する
ことを特徴とする請求項１３に記載の監視用の端末。
【請求項１５】
前記設備は複数種類の測定部により測定され、
前記重畳表示部は、前記複数種類の前記測定部による前記測定の結果に対応し、前記設備の内部を透視する透視情報を選択可能に表示する
ことを特徴とする請求項１４に記載の監視用の端末。
【発明の詳細な説明】
【技術分野】
【０００１】
この発明は、広域の河川、ダム、プラントなどの施設の監視システムにおいて、水位・電力量などに関する測定部や警報部を備えた設備が異常を示す場合に、異常状態に対応する対応手順が映像に重畳表示されるＡＲ機能を有する監視システムおよび監視用の端末に関するものである。
【背景技術】
【０００２】
従来の監視システムでは、水量や電力に関する測定部や警報部を備えた設備が異常を示す場合、現場担当者が異常状態を端末のカメラで撮影し、撮影された設備映像に対してデータベースに格納された操作手順を重畳表示させるシステムが存在していた（特許文献１）。
【先行技術文献】
【特許文献】
【０００３】
【特許文献１】特開２０１６−９９７５７号公報（要約等参照）
【発明の概要】
【発明が解決しようとする課題】
【０００４】
しかしながら特許文献１の構成では、データベースに格納された操作手順があるときにはそれに基づいて現場担当者が各種設備のボタンやバルブなどを操作すればよいが、異常状態に対応する操作手順がデータベースに格納されていない場合にはすぐに異常時対応を行うことができず、また、異常状態は同じであっても原因が異なる場合には十分な対応とはならない場合があった。その結果、異常状態がよりひどくなる、あるいは異常状態が長く続くなど、課題が存在していた。
【０００５】
そこで、本発明は上記のような課題を解決するためになされたものであり、設備がどのような異常状態になっても、異常時対応を適切に行えるようにすることを目的とする。
【課題を解決するための手段】
【０００６】
本発明に係る監視システムは、撮影部および第１表示部を有する端末と、端末と接続された第２表示部を有する装置と、を含み、端末は、撮影部により撮影された設備を含む映像を第２表示部で表示するために映像を装置に送信し、かつ、第２表示部での映像に対して入力された映像に関する対応情報を受信する通信部と、対応情報を第１表示部に表示する第１重畳表示部と、を備え、装置は、映像に対して対応情報を第２表示部に重畳表示する第２重畳表示部を備えたことを特徴とする。
【発明の効果】
【０００７】
本発明の監視システムは、設備を含む映像を端末の第１表示部と端末と接続された装置の第２表示部で共有し、第２表示部上で入力された対応情報が端末に送信されて端末の第１表示部上に映像とともに重畳表示されるので、設備に詳しい管理者などが第２表示部上から対応情報による指示出しをすることができ、たとえば、データベースに設備異常時の対応手順を格納してその手順を呼び出して対応する場合と比べて、データベースに格納されないような設備の異常が発生した場合であっても、臨機応変に最適な指示に基づいた設備に対する対応を取ることが可能になる。
【図面の簡単な説明】
【０００８】
【図１】実施の形態１に係る監視システムと設備とを示すブロック図である。
【図２】実施の形態１に係る監視システムと設備とを示す構成図である。
【図３】実施の形態１に係る規定対応情報データベースの内容を示す構成図である。
【図４】実施の形態１に係る端末および装置の動作フローを示す図である。
【図５】実施の形態１に係る端末および端末と映像を共有する装置の画面構成例を示す図である。
【図６】実施の形態１の変形例１ａに係る監視システムと設備とを示す構成図である。
【図７】実施の形態２に係る設備内部の状況を可視化して表示する監視システムの画面構成例を示す図である。
【図８】実施の形態３に係る端末上で設備の測定対象の値を所望の値に変更するための対応情報を表示する監視システムの構成図である。
【図９】実施の形態３に係る規定対応情報データベースの内容を示す構成図である。
【図１０】実施の形態３に係る端末上で設備の測定対象の値を所望の値に変更するための対応情報を表示する画面構成例を示す図である。
【図１１】実施の形態４に係る複数種類の測定結果を選択的に表示するシステムの画面構成例を示す図である。
【図１２】実施の形態５に係るシステムの構成例を示す図である。
【図１３】実施の形態６に係る装置が設備に対して行う遠隔操作部を端末上に呼び出すための構成を示すブロック図である。
【図１４】実施の形態６に係る遠隔操作部を端末上に呼び出した際の画面構成例を示す図である。
【発明を実施するための形態】
【０００９】
以下に、本発明の実施の形態にかかる監視システムを図面に基づいて詳細に説明する。なお、この実施の形態によりこの発明が限定されるものではない。また、各実施の形態で同等の構成や部材などについては、同一の符号を付してその説明を省略などする。
【００１０】
実施の形態１．
本発明の実施の形態１に係る監視システム１について、図１から図５を用いて説明する。実施の形態１は、設備のある現場で撮影された映像を現場とは離れた位置にある装置の画面で共有し、装置側で映像上の設備に対する対応情報を記すことを特徴とする。
【００１１】
図１は、実施の形態１に係る監視システムと設備とを示すブロック図である。監視システム１は、広域の河川、ダム、プラントなどの施設の管理を行う設備１００に対する監視システムであり、設備１００に対する対応手順を表示する監視用の端末２と、端末２と通信可能な装置１０とを含んでいる。端末２は、カメラなどにより周囲を撮影可能な撮影部３と、装置１０と通信可能な通信部としての第１通信部４と、撮影部３で撮影した画像を表示するディスプレイを有する第１表示部５と、装置１０から送られる対応情報６ａ（設備１００に対する対応メッセージ，図２参照）を第１表示部５に重畳表示する第１重畳表示部６とを備えている。
【００１２】
また、装置１０は、設備１００とは離れたセンターなどに設置されるものであり、設備１００に対する遠隔操作を行う遠隔操作部１１と、設備１００に対する規定の対応手順を格納した規定対応情報データベース１２と、規定対応情報データベース１２内の情報を編集したり、ユーザが端末２に送る情報を作成したりするためのキーボードやマウスなどの入力部１３（第１入力部）と、端末２の第１通信部４と通信する第２通信部１４と、端末２から送られる撮影部３からの映像３ａ（図２参照）を表示する第２表示部１５と、第２表示部１５に表示される映像３ａに対して入力部１３により入力された情報を重畳表示する第２重畳表示部１６と、撮影部３で撮影された画像から設備１００の種類や、設備１００の状態を判定する画像判定部１７と、を備えている。なお、規定対応情報データベース１２および画像判定部１７は、装置１０にではなく、設備１００自体、あるいは、端末２に格納して、装置１０での上述した処理と同じように処理するようにしてもよい。
【００１３】
さらに、設備１００は、施設に対して水量・電力・ガス濃度・温度などに関する測定を行う測定部１０１と、測定部１０１の測定結果（測定値）に基づき判定部１０２が正常値かどうかを判定し、仮に測定値が異常であった場合、施設の状態が異常であるとして警報部１０３が警報を発令し、警報部１０３による警報を受けて施設に対する処理を行うためのボタン、バルブ、操作パネルなどの操作部１０４と、この設備１００と監視システム１における第１通信部４および第２通信部１４、または第１通信部４および第２通信部１４のいずれかと通信するための第３通信部１０５とを備えている。
【００１４】
図２を用いて、監視システム１と設備１００との構成を明確にする。設備１００としての貯留タンク１００ａには、測定部１０１の測定対象１０６としての水１０６ａが貯留されている。そして、どのくらいの水が貯留されているかは貯留タンク１００ａに設けられた測定部１０１としての超音波センサ１０１ａにより測定がされている。超音波センサ１０１ａによる測定の結果、被測定対象である水１０６ａの貯留量が正常範囲よりも少ないとみなされた場合、警報部１０３として、破線で囲まれたエリア内の警報ランプ１０３ａを点灯させる。それを受けて、現場作業員などが操作ボタンなどを含んだ操作部１０４を操作することにより、バルブ１０４ａの開閉が行われ、正常範囲の貯留量となるよう外部から水を流入させることが可能である。
【００１５】
端末２と装置１０の構成について説明する。通常はセンター側にいる管理者が、貯留タンク１００ａ付近に設けられている不図示のセンサなどからの情報に基づき、その映像３ａを基に遠隔操作部１１により操作を行うが、貯留タンク１００ａが設けられている現場でしかできない操作の場合、あるいは、周囲の環境なども加味して、現場で操作した方が確実に処理できるような場合には、現場に作業員を派遣して、現場での貯留タンク１００ａに対する操作を行うことがある。そこで、現場で作業員が端末２を把持したり三脚などに固定したりして撮影部３（図１参照）により撮影された貯留タンク１００ａに関する映像３ａが端末２の第１表示部５と装置１０の第２表示部１５上でともに表示されるようにし、センター側の装置１０の第２重畳表示部１６において、第２表示部１５上の映像３ａに対して貯留タンク１００ａに対する対応情報６ａとして、操作部１０４に関する操作方法を記して端末２へ情報を送り、端末２の第１重畳表示部６に対応情報６ａを表示することが可能に構成されている。その対応情報６ａを元に、ユーザは操作部１０４を適切に操作することができる。
【００１６】
次に図３を用いて、規定対応情報データベース１２の構造について説明する。規定対応情報データベース１２は設備名１２ａと、警報種別１２ｂと、どのように対応すべきかの対応情報６ａが規定された規定対応情報１２ｃと、警報の原因１２ｄと、同種の警報が累積してどのくらい発生したかの累積回数１２ｅと、過去対応時のメモ１２ｆとを含んで構成されている。
【００１７】
次に、図４を中心に、適宜図１から図３の記載も参照して、監視システムの動作フローについて説明を行う。まず、通常は、警報ランプ１０３ａの警報を受けて、あるいは、装置１０があるセンターからの指示により、端末２を持ち出して設備１００（貯留タンク１００ａ）を撮影する（ステップＳＴ１）。そして撮影された映像３ａを端末２から装置１０へ第１通信部４を介して送信する（ステップＳＴ２）。
【００１８】
その後、装置１０は第２通信部１４を介して映像３ａを受信し（ステップＳＴ３）、受信した映像３ａを基に、たとえばパターンマッチングや文字認識などといった機能を有する画像判定部１７により設備１００の種類や状態を特定する（ステップＳＴ４）。その特定の結果、設備名１２ａや警報種別１２ｂに一致する情報があれば、規定対応情報１２ｃが存在するかどうかを確認し（ステップＳＴ５）、仮に規定対応情報データベース１２にデータが格納されている場合、そのデータを呼び出して自動的に図２の第２重畳表示部１６のように規定対応情報１２ｃのメッセージを貼り付ける、あるいは、装置１０を操作する管理者が手動でメッセージを同様に貼り付けるようにし、映像３ａに重畳される規定対応情報１２ｃを端末２へ送信する（ステップＳＴ６）。
【００１９】
一方、ステップＳＴ５において、規定対応情報データベース１２内にステップＳＴ４での設備や状態の特定の結果に対応する規定対応情報１２ｃが存在しない場合、装置１０の第２表示部１５に表示されている設備１００の映像３ａに対して、どのように対応すべきかの対応情報６ａを入力部１３により入力して、第２重畳表示部１６を用いて重畳表示させる（ステップＳＴ７）。そして、映像３ａに重畳される対応情報６ａを端末２へ送信する（ステップＳＴ８）。
【００２０】
端末２は、ステップＳＴ６またはステップＳＴ８により送信されてきた規定対応情報１２ｃまたは対応情報６ａを受信する（ステップＳＴ９）。そして、受信した情報を、第１表示部５上に第１重畳表示部６として重畳させる（ステップＳＴ１０）。その結果は図２の通りとなるが、よりわかりやすく説明するため、図５に監視システム１の画面構成例を表示している。
【００２１】
図５は図２における端末２と装置１０を拡大して表示したものである。ここでは第１表示部５や第２表示部１５において見えている貯留タンク１００ａについては括弧書きで（１００ａ）などと参考に表示している。装置１０では、第１表示部１５として、映像３ａを表示する映像表示領域１５ａの他に、端末２にない情報として、現在の水位や、貯留タンク１００ａをどのようにすべきかなどの付加的な情報を表示するための詳細情報表示領域１５ｂを含んでいる。詳細な情報を端末２に表示してもよいが、端末２は画面サイズが小さいこともあり、現場での貯留タンク１００ａに対する操作手順をわかりやすく表示することが優先されるため、通常は詳細情報を装置１０のみに表示されるように設定されている。ただし、端末２側で詳細情報を表示したい場合には、詳細情報の表示ＯＮ／ＯＦＦモードを設けて、切り替えるようにしても良い。
【００２２】
なお、貯留タンク１００ａの映像３ａを装置１０の第２表示部１５で表示しつつ、第２重畳表示部１６に対応情報６ａを記載する際、現場の端末２が三脚や壁などに固定されている場合は貯留タンク１００ａの映像３ａがぶれないため、第２表示部１５内で表示される貯留タンク１００ａ内の操作部１０４と、第２重畳表示部１６の対応情報６ａとが適切に紐づけられる。一方、端末２をユーザが把持する場合、貯留タンク１００ａの映像３ａがぶれるため、端末２に不図示の手振れ補正機能を設けたり、あるいは装置１０の画像判定部１７により貯留タンク１００ａの映像３ａから貯留タンク１００ａの静止画像を切り出し、その画像に対して、対応情報６ａを付して再度貯留タンク１００ａの映像３ａに画像をマッチングさせて対応情報６ａ付きの映像３ａとして処理したりするなどすることが好ましい。
【００２３】
このようにして、現場の設備１００を撮影して現場とは離れたセンター内の装置１０に撮影した映像３ａを送ることで、仮に規定対応情報データベース１２内に該当する設備名１２ａや警報種別１２ｂに対応する規定対応情報１２ｃが格納されていない場合であっても、センター側の管理者などが対応情報６ａを映像３ａに対して記して送信できるため、現場作業員が設備１００に対する適切な対応を取ることが可能になる。なお、端末２と装置１０とで表示する映像は基本的には同じであり、説明の簡略上、図中においてどちらか片方を代表して取り上げる場合があるが、他方においても同じものが存在することは言うまでもない。他の実施の形態についても同様である。
【００２４】
変形例１ａ．
図６は本変形例の構成を示している。実施の形態１では端末２が設備１００（貯留タンク１００ａ）を撮影していたが、三脚などに固定されたカメラ１０７を用いて、カメラ１０７と接続可能な中継機器１０８を介して、端末２および装置１０は設備１００の映像を共有するようにしてもよい。この場合、設備１００のブレのない映像３ａを手に入れることができ、装置１０で指示された対応情報６ａまたは規定対応情報１２ｃと映像３ａとの関係が見やすい状態で第１重畳表示部６および第２重畳表示部１６で共有することが可能である。
【００２５】
実施の形態２．
本発明の実施の形態２に係る監視システム１について図７を用いて説明する。実施の形態２は、測定部１０１による測定結果に基づき、現場の設備１００の内部状況を設備１００の映像３ａに対して重畳表示することを特徴とする。
【００２６】
図７は、第１重畳表示部６および第２重畳表示部１６が、被測定対象である水１０６ａの状態を、第１表示部５および第２表示部１５の映像３ａに対して、貯留タンク１００ａの内部を透視するように透視情報６ｂとして重畳表示する状態を表している。すなわち、貯留タンク１００ａ内の水１０６ａがどの水位まで満ちしているかを、図では黒塗り状態で示している。たとえば、水１０６ａの水位が図６の状態から上がればこの黒塗りの領域もより上方まで黒塗り状態となり、逆に水１０６ａの水位が図６の状態から下がればこの黒塗りの領域はより下方までが黒塗り状態となる。
【００２７】
このように、被測定対象に対する測定部１０１の測定結果に基づき、設備１００の内部状況を透視情報６ｂとして第１重畳表示部６および第２重畳表示部１６が表示するため、第１重畳表示部６を見ることで、現場の作業員が操作部１０４の操作を行う際に、設備１００の内部状況の変化を確認しながら安心して作業を実行し、作業水位を見守りすることできる。また、第２重畳表示部１６を見ることで、設備１００に生じている問題がより明確になり、センターの管理者がより適切な対応情報６ａを指示したり、より迅速に対応情報６ａを付したりすることが可能となる効果を有する。
【００２８】
なお、端末２と装置１０とを相互に通信するようなシステムではない、端末２のみの監視システムであった場合、あるいは通信障害があり、端末２のみで設備１００に対する対応をしないといけない場合であっても、設備１００の内部状況を視覚的に把握できることで、単に数値のみで内部状況を表示する場合と比べて、より適切な対応として操作部１０４の操作を行うことが可能となる。
【００２９】
また、第１重畳表示部６または第２重畳表示部１６の一方のみが透視情報６ｂを第１表示部５または第２表示部１５の映像３ａに対して重畳表示するようにしてもよい。この場合であっても、上述した効果の一方を得ることができる。
【００３０】
なお、被測定対象１０６が温度である場合には、温度分布によって透視情報の色味を変える、たとえば、高温は赤く、低温は青く表示したり、被測定対象１０６がガスの場合には、濃度が濃い場所は濃く、薄い場所は薄くしたりしてもよい。このようにして、被測定対象１０６の性質に応じて適切な透視情報６ｂとすることで、被測定対象１０６の状況を明確に把握することが可能である。
【００３１】
実施の形態３．
本発明の実施の形態３に係る監視システム１について図８から図１０を用いて説明する。実施の形態３は、実施の形態２で示した透視情報６ｂに対して、好ましい値としての調整値をユーザが設定し、その設定値にするための操作手順を表示することを特徴とする。
【００３２】
図８は実施の形態３の構成を示すブロック図である。実施の形態３での新しい構成は、太枠で示した入力部７（第２入力部）および演算部１８である。この入力部７は端末２を把持したユーザによる入力を想定し、たとえば、透視情報６ｂの指でスライドするなどして、水１０６ａの水位を変位させたい希望状態６ｃ（図１０参照）としての変更水位まで移動することなどが考えられる。また、演算部１８は、入力部７の入力を受けて、測定部１０１の測定結果である現状状態から希望状態６ｃまでの差分を計算する。
【００３３】
図９は本実施の形態における規定対応情報データベース１１２を示している。実施の形態１の規定対応情報データベースと異なるのは、目的１２ｇの項目が存在することであり、これは、被測定対象１０６をどの程度変化させるかを目的１２ｇとして記載し、どのような対応が必要かは規定対応情報１２ｃとして記したものである。演算部１８は、上述したこの差分をなくすのに適した処理となる目的が記載されているかを求め、合致した目的が規定対応情報データベース１１２に存在する場合にはその目的に対する規定対応情報１２ｃを呼び出し、実施の形態１や２と同様に、規定対応情報を第１重畳表示部６や第２重畳表示部１６に表示をするように構成されている。合致した目的がない場合にはセンター側の管理者が演算部１８によって求めた差分を見るなどして考慮して、適切な指示を、第２重畳表示部１６を介して行う。
【００３４】
図１０は、透視情報６ｂに対し、ユーザが指で第１重畳表示部６上にて操作を行い、希望状態６ｃまで水１０６ａの水位を変異させようとしている状況を表している。まず、第１重畳表示部６および第２重畳表示部１６は、詳細情報６ｄとして、適正水位が４メートル（以下、図面において４Ｍなどと表記する）以上であることを表示している。そして、変位情報６ｅとして、現状状態である現在水位と、希望状態６ｃである変更水位が第１重畳表示部６および第２重畳表示部１６に表示されている。
【００３５】
このようにして、被測定対象１０６の透視情報６ｂと詳細情報６ｄを確認しつつ、希望状態６ｃを端末２上で指定するだけで、操作部１０４に対してどのような操作を行えばよいかが分かるため、たとえば貯留タンク１００ａに対してどこまで水を満たすべきかを視覚的に決定することができ、貯留タンク１００ａが果たす機能の維持とそれに係る費用とのバランスなどを考慮するなど、より総合的な判断をしやすくなる効果を発揮する。
【００３６】
なお、入力部７を端末に設けて、端末側で希望状態６ｃの設定を行ったが、装置１０側で同様の作業を、入力部１３を介して行うようにしてもよい。また、演算部１８を装置１０側に持たせたが、この演算部１８に相当する機能を端末２側に持たせてもよい。このようにしても上述したものと同様のことが実行可能である。  また、この演算部１８が求めた差分を埋めるための貯留タンク１００ａに対する対応情報６ａの表示、または規定対応情報１２ｃの表示は、どちらかいずれかのみを行うようにしても、いずれも行わない場合と比べて、直感的に操作ができることから業務効率を向上させることが可能である。
【００３７】
実施の形態４．
本発明の実施の形態４に係る監視システム１について図１１を用いて説明する。実施の形態４は、複数の測定部１０１を備えて、実施の形態２に記載の透視情報６ｂを選択的に表示可能としたことを特徴とする。
【００３８】
図１１は、測定部１０１は複数の測定機器を備えた構成であり、超音波センサ１０１ａの他に、水温計１０１ｂが備えられていることを表示している。この場合、端末２または装置１０上では、どの測定機器の結果を表示するかを、第１重畳表示部６および第２重畳表示部１６において測定機器選択部６ｆとして選択可能に構成されている。
【００３９】
測定機器選択部６ｆでは、水位と水温とが表示されるように選択されている。その結果、その両者が第１重畳表示部６および第２重畳表示部１６に表示され、具体的には、水位が透視情報６ｂとして表示され、かつ、透視情報６ｂのうち、色が濃く表示された高温水域６ｂ１と色が薄く表示された低温水域部６ｂ２とを表示可能である。
【００４０】
このようにして、複数の測定機器の測定結果を選択可能に表示することにより、より適切な対応情報６ａを付して現場の端末２に指示を送ることができ、現場においても、端末２での透視情報６ｂを各種見ることで、操作部１０４での操作の結果を確認して、状態の推移を見守り、また、操作の結果として異常があった場合には早期に発見して、迅速に再度の対応をすることも可能となる。なお、このような測定機器選択部６ｆは端末２または装置１０の一方だけに存在する場合であっても上述した効果の一方を得ることができ、測定機器選択部６ｆがないものと比べて表示する情報を多くすることができる。
【００４１】
実施の形態５．
本発明の実施の形態５に係る監視システム１について図１２を用いて説明する。実施の形態５は、端末２からの設備１００に関する状況の入力が行えることを特徴とする。
【００４２】
図１２は、貯留タンク１００ａがある現場において、図８に記載の入力部７により、ユーザが貯留タンク１００ａの状態など、気づいたことを入力できる構成であることを示している。この構成により、たとえば、超音波センサ１０１ａでは分からない他の検査、たとえば打音検査などを行った結果異変に気付いたなど、貯留タンク１００ａに関する詳細な情報を装置１０と共有することができる。
【００４３】
このようにして現場での気づきを入力部７により入力して装置１０と共有することで、装置１０を使用する管理者などがより適切な対応情報６ａを現場の端末２に対して送信することが可能となる効果を有する。
【００４４】
実施の形態６．
本発明の実施の形態６に係る監視システム１について図１３および図１４を用いて説明する。実施の形態６は、端末２において、装置１０で行っている特殊な操作を実行する機能を有することを特徴とする。
【００４５】
図１３は、実施の形態６の構成を示すブロック図である。実施の形態６での新しい構成は、太枠で示した機能呼び出し部８である。この機能呼び出し部８は、装置１０における遠隔操作部１１の操作を端末２で行うように、遠隔操作部１１と同様な機能を端末２上シミュレートして実行する、または、遠隔操作部１１を遠隔操作するものである。
【００４６】
図１４は、機能呼び出し部８により、遠隔操作部１１をシミュレートした仮想遠隔操作部１１１を第１表示部５上に呼び出したものである。具体的には、管理権限選択部６ｈにて管理権限を取得することで、仮想遠隔操作部１１１を呼び出せる。その後、操作部１０４では行えない操作を実行することができ、現場での作業の自由度を向上することができる。たとえば、装置１０から指示を出していた管理者が現場に赴き、現場にて管理者が貯留タンク１００ａに対する対応を行う場合などに、特に有効である。
【００４７】
なお、本発明は、その発明の範囲内において、各実施の形態を自由に組み合わせ、各実施の形態を適宜、変形、省略することが可能である。
【符号の説明】
【００４８】
１  監視システム、２  端末、３  撮影部、３ａ  映像、４  通信部（第１通信部）、５  第１表示部、６  第１重畳表示部、６ａ  対応情報、６ｂ  透視情報、６ｃ  希望状態、６ｄ  詳細情報、６ｅ  変位情報、６ｆ  測定機器選択部、６ｇ  、６ｈ  管理権限選択部、７  入力部（第２入力部）、８  機能呼び出し部、１０  装置、１１  遠隔操作部、１２  規定対応情報データベース、１２ｃ  規定対応情報、１３  入力部（第２入力部）、１５  第２表示部、１６  第２重畳表示部、１００  設備、１００ａ  貯留タンク、１０１  測定部、１０１ａ  超音波センサ、１０１ｂ  水温計、１０４  操作部、１０４ａ  バルブ、１０６  被測定対象、１０６ａ  水、１１１  仮想遠隔操作部、１１２  規定対応情報データベース。
【図１】
2018169649.tif 000003
【図２】
2018169649.tif 000004
【図３】
2018169649.tif 000005
【図４】
2018169649.tif 000006
【図５】
2018169649.tif 000007
【図６】
2018169649.tif 000008
【図７】
2018169649.tif 000009
【図８】
2018169649.tif 000010
【図９】
2018169649.tif 000011
【図１０】
2018169649.tif 000012
【図１１】
2018169649.tif 000013
【図１２】
2018169649.tif 000014
【図１３】
2018169649.tif 000015
【図１４】
2018169649.tif 000016